(57)【特許請求の範囲】
【請求項１】
掛止孔が形成されたシート状の感光材料を記録ドラム周面に押圧固定し、該感光材料に対して描画を行う描画装置であって、
前記記録ドラムをその回転軸の回りに回転させる回転駆動手段と、
前記記録ドラムの周面上に固定された感光材料に対して描画を行う描画手段と、
前記感光材料の端部を前記記録ドラム周面に押圧固定する端部押圧固定手段と、
前記端部押圧固定手段による前記感光材料の端部押圧固定が行われる前には前記感光材料と接触しない高さ位置に位置する掛止ピンを、前記端部押圧固定手段による前記感光材料の端部押圧固定が完了した後に、前記掛止孔に掛止ピンを掛止させる掛止手段とを有することを特徴とする描画装置。
【請求項２】
前記端部押圧固定手段は、前記記録ドラム表面に回動可能に固定されその一端で前記感光材料の端部を押圧固定する押圧板と、
前記押圧板の他端を昇降させることで、前記押圧板の前記一端を前記感光材料
に対して接離させる押圧板駆動手段とを有する請求項１記載の描画装置。
【請求項３】
前記掛止手段は、前記記録ドラム表面に回動可能に固定されその一端に掛止ピンが配された掛止レバーと、
前記掛止レバーの他端を昇降させることで、前記掛止ピンを前記掛止孔に掛止・離脱させる掛止レバー駆動手段とを有することを特徴とする請求項２記載の描画装置。
【請求項４】
前記押圧板駆動手段と前記掛止レバー駆動手段とは、前記記録ドラムに対する接近動作を行う共通の解除バーを有し、該解除バーは接近動作によって前記押圧板の他端と前記掛止レバーの他端とに接することで前記押圧板駆動手段と前記掛止レバー駆動手段とを同時に作動させるものであることを特徴とする請求項３記載の描画装置。
【請求項５】
前記感光材料は刷版であることを特徴とする請求項１ないし請求項４記載の描画装置。
【発明の詳細な説明】
【０００１】
【発明の属する技術分野】
本発明は、シート状の感光材料を記録ドラムの外周面に固定し、該感光材料に描画を行う描画装置に関する。
【０００２】
【従来技術】
【０００３】
種々の感光材料に対して光を照射して描画を行うために描画装置が用いられている。ドラム型の描画装置では、主走査方向に回転可能な記録ドラム上に感光材料が装着され、レーザダイオード等を備えた記録ヘッドが記録ドラムの回転軸と平行な副走査方向に移動して感光材料に描画を行う。
【０００４】
図１７は、従来の描画装置の記録ドラム１１０の概略側面図である。記録ドラム１１０は側部１９５に対して回転自在に保持されている。記録ドラム１１０には、感光材料としてアルミニウム製の刷版１２０が装着される。記録ドラム１１０の外周面には、刷版１２０の一端を固定する前端クランプ１３０と、刷版１２０の後端を固定する後端クランプ１６０とが取り付けられている。後端クランプ１６０は磁石を内蔵する。通常、後端クランプ１６０は後端クランプ保持装置１８０の保持ピン１８１によって保持されている。画像記録開始前に、後端クランプ１６０は保持ピン１８１から離れ記録ドラム１１０の刷版１２０の後端に対向する位置に磁力により固定される。記録ドラム１１０は刷版１２０を装着した状態でモータ１４０によって回転し、刷版１２０に対して記録ヘッド１９０から出射されたレーザ光により描画を行う。
【０００５】
図１８は前端クランプ１３０の分解斜視図、図１９は前端クランプ１３０の側面図である。図１８および図１９において、前端クランプ１３０は、クランプ本体１３１、回転軸１３７、２つの軸受け１３２、４つのボルト１３３，２つの金属ボール１３４，２つのスプリング１３５および複数の押さえゴム１３６により構成される。
【０００６】
軸受１３２は、ボルト１３３により記録ドラム１１０に固定される。クランプ本体１３１は、回転軸１３７により回動自在に軸受１３２に取り付けられる。クランプ本体１３１の一方の側部１３１ａの下面には押さえゴム１３６が装着されている。図１９に示すように、クランプ本体１３１の他方の側部１３１ｂの下方における記録ドラム１１０には凹部１１２が形成されている。クランプ本体１３１の他方の側部１３１ｂの下面と記録ドラム１１０の凹部１１２との間にスプリング１３５が装着され、スプリング１３５内には金属ボール１３４が挿入されている。
【０００７】
スプリング１３５の反力により、クランプ本体１３１の他方の側部１３１ｂが図１９中矢印Ｐ１で示すように回転軸１３７を中心として記録ドラム１１０から離れる方向に付勢される。それにより、クランプ本体１３１の一方の側部１３１ａが矢印Ｐ２で示すように記録ドラム１に近づく方向の力が働き、記録ドラム１１０の刷版１２０の一端が押さえゴム１３６により押圧される。
【０００８】
前端クランプ１３０の一方の側部１３１ａは、他方の側部１３１ｂを前端クランプ押圧装置１７０の解除ピン１７１で押圧することにより開放され、刷版１２０を記録ドラム１１０の外周面との間で保持することが可能になる。
【０００９】
【発明が解決しようとする課題】
刷版１２０の前端部分を固定する力は、前端クランプ１３０のスプリング１３５によって規定される。描画中に万一刷版１２０の前端部分が移動して前端クランプ本体１３１の一方の側部１３１ａの下から抜け出ると刷版１２０が記録ドラム１１０から脱落し非常に危険である。そのため従来はスプリング１３５の力を強めに設定していた。しかし、このようにすると、前端クランプ１３０の開放に強力な力が必要になるという問題が新たに発生する。
【００１０】
【課題を解決するための手段および発明の効果】
（１）第１の発明
【００１１】
第１の発明に係る描画装置は、掛止孔が形成されたシート状の感光材料を記録ドラム周面に固定し、該感光材料に対して描画を行う描画装置であって、前記記録ドラムをその回転軸の回りに回転させる回転駆動手段と、前記記録ドラムの周面上に固定された感光材料に対して描画を行う描画手段と、前記感光材料の端部を前記記録ドラム周面に押圧固定する端部押圧固定手段と、前記端部押圧固定手段による前記感光材料の端部押圧固定が行われる前には前記感光材料と接触しない高さ位置に位置する掛止ピンを、前記端部押圧固定手段による前記感光材料の端部押圧固定が完了した後に、前記掛止孔に掛止ピンを掛止させる掛止手段とを有することを特徴とするものである。
【００１２】
本発明に係る描画装置においては、記録ドラム表面に到達した感光材料は、まずその端部が端部押圧固定手段によって記録ドラム周面に押圧固定される。つぎに、掛止手段がその掛止孔に対し掛止ピンを掛止させると、感光材料の記録ドラムの周面に沿った移動が制限される。なお、掛止ピンは、感光材料の端部押圧固定が行われる前には感光材料と接触しない高さの位置に位置している。このため、掛止ピンによる掛止は端部押圧固定が完了した後となり、掛止孔が形成されていない感光材料を固定する場合であっても掛止ピンの当接による感光材料の位置ずれは生じない。この状態で、感光材料が固定された記録ドラムを回転駆動手段により回転軸回りに回転させ、描画手段により感光材料に対して描画を行う。感光材料は端部押圧固定手段と掛止手段とによって固定されているので記録ドラム周面から脱落することはない。
【００１３】
（２）第２の発明
【００１４】
第２の発明に係る描画装置は、第１の発明に係る描画装置において、端部押圧固定手段は、記録ドラム表面に回動可能に固定されその一端で前記感光材料の端部を押圧固定する押圧板と、前記押圧板の他端を昇降させることで、前記押圧板の前記一端を前記感光材料に対して接離させる押圧板駆動手段とを有するものである。
【００１５】
この場合、単に押圧板の他端を昇降させるだけで押圧板の一端を感光材料に対して接離させることができる。
【００１６】
（３）第３の発明
【００１７】
第３の発明に係る描画装置は、第２の発明に係る描画装置において、前記掛止手段は、前記記録ドラム表面に回動可能に固定されその一端に掛止ピンが配された掛止レバーと、前記掛止レバーの他端を昇降させることで、前記掛止ピンを前記掛止孔に掛止・離脱させる掛止レバー駆動手段とを有するものである。
【００１８】
この場合、単に掛止レバーの他端を昇降させることで掛止ピンを感光材料の掛止孔に掛止・離脱させることができる。
【００１９】
（４）第４の発明
【００２０】
第４の発明に係る描画装置は、第３の発明に係る描画装置において、前記押圧板駆動手段と前記掛止レバー駆動手段は、前記記録ドラムに対する接近動作を行う共通の解除バーを有し、該解除バーは接近動作によって前記押圧板の他端と前記掛止レバーの他端とに接することで前記押圧板駆動手段と前記掛止レバー駆動手段とを同時に作動させるものである。
【００２１】
この場合、共通の解除バーによって、押圧板と掛止レバーとを作動させることができるので機構が簡単になる。
【００２２】
（５）第５の発明
【００２３】
第５の発明に係る描画装置は、第１の発明ないし第４の発明に係る描画装置において、前記感光材料は刷版である。
【００２４】
この場合、記録ドラム周面に刷版を確実に固定することができる。
【００２５】
【実施態様】
図１は、本発明にかかる描画装置の記録ドラム１の概略側面図である。記録ドラム１は側部９７に対して回転自在に保持されている。記録ドラム１には、感光材料としてアルミニウム製の刷版２が装着される。記録ドラム１の外周面には、刷版２の一端を固定する前端クランプ３と、刷版２の後端を固定する後端クランプ９０とが取り付けられている。後端クランプ９０は内蔵された係止機構を後述する後端クランプ溝１５（図３参照）に対して係止させることで、記録ドラム１上の所望位置に固定される。後端クランプ９０は通常、後端クランプ保持装置９４の保持ピン９５によって保持されている。後端クランプ９０は、描画開始前に保持ピン９５から離れ、記録ドラム１上の刷版２の後端に対向する位置に固定される。記録ドラム１は刷版２を装着した状態でモータ４によって回転する。刷版２に対しては記録ヘッド９６から出射されたレーザ光による描画を行う。
【００２６】
図２は刷版２の前端部分を示している。刷版２は矢印Ｂ方向に搬送されて記録ドラム１の周面に装着される。刷版２の前端辺２８には切欠２６、２６が形成され、刷版２の両側部には掛止孔２７、２７が形成されている。
【００２７】
図３と図４を参照して、刷版２の前端部分が位置する記録ドラム１の周面領域を説明する。図３は、前端クランプ３が固定される記録ドラム１の一部分を刷版搬送方向（矢印Ｂ方向）の逆方向から見た分解斜視図である。図４はこの部分を刷版搬送方向（矢印Ｂ方向）から見た分解斜視図である。
【００２８】
記録ドラム１の周面には、刷版２を真空吸引によって固定するために設けられた、記録ドラム１の円周方向に延びる吸引溝１１と記録ドラム１の軸方向に延びる吸引溝１２、後端クランプ６を記録ドラム１に固定するための後端クランプ固定溝１５、記録ドラム１の周面から刷版２を剥離する際に使用される溝１３、位置決めピン１６が取り付けられる円形凹部１７、平坦部１８（図中斜線で示される領域）、後述する刷版支持装置７を取付固定するための凹部１４等が形成されている。
【００２９】
刷版２の前端部分が位置する記録ドラム１の周面領域（平坦部１８）には記録ドラム１の軸方向に沿って６個の前端クランプ３（図３、４中にはその内の１個のみを示す）、２個の掛止ピン駆動装置５（図３、４中にはその内の１個のみを示す）、２個の位置決めピン１６（図３、４中にはその内の１個のみを示す）、６個の刷版支持装置７（図３、４中には図示せず）が配置されている。
【００３０】
図５と図６を用いて平坦部１８を説明する。図５は、説明のために記録ドラム１から前端クランプ３や位置決めピン１６等を除去した斜視図である。図６は、記録ドラム１の一部断面図（平坦部１８近傍領域の断面）である。
【００３１】
図５に示されるように、平坦部１８には掛止ピン駆動機構５を固定するための凹部２１、後述する軸受４０を固定するための凹部１９、スプリング固定用の円形凹部２０が形成されている。また平坦部１８に平行して他方端収納溝２４が形成されている。
【００３２】
図５、図６、両図に示されるように、掛止ピン駆動機構５に対向する部分の平坦部１８は凹部２１と他方端収納溝２４からなる。さらに凹部２１は正方凹部２２と長方凹部２３とからなる。正方凹部２２の底面には第１レバー収納穴２２ａが穿たれている。
【００３３】
一方、長方凹部２３の底面には円形穴２３ａが形成されている。各凹部２２、２３および穴２２ａ、２３ａ、溝２４の底面の深さを記録ドラム１の表面を基準にして表すと、長方凹部２３（ｄ１）、他方端収納溝２４（ｄ２）、正方凹部２２（ｄ３）、円形穴２３ａ（ｄ４）、第１レバー収納穴２２ａ（ｄ５）の順で大きくなっている。
【００３４】
刷版２は、その前端部分に形成された切欠２６、２６を記録ドラム１上の位置決めピン１６、１６にはめ込むことによって、記録ドラム１の円周方向および軸方向に関する位置決めがなされる。そして、刷版２の前端部分は刷版固定板３１の一方側部３１ａで押圧することで記録ドラム１上に固定される。次に、刷版２の掛止孔２７に掛止ピン駆動機構５の後述する掛止ピン５２を掛止させることで刷版２は記録ドラム１の円周方向に関する移動が制限される。
【００３５】
図７は前端クランプ３の底面図である。図３、４、７を参照して前端クランプ３の構造を説明する。前端クランプ３は、刷版２の前端部分を押圧して記録ドラム１上に固定するための部材であり、刷版固定板３１と、軸受４０、４０、シャフト４１、スペーサ４２、ボルト４３、スプリング（図示せず）、スプリング固定ピン３５とからなっている。
【００３６】
刷版固定板３１は刷版２を押圧する一方側部３１ａと他方側部３１ｂとを有する。一方側部３１ａの裏面（刷版２に接触する側）にはセラミック加工等が施され刷版２の保持を確実にするための細かな凹凸が存在する。刷版固定板３１の裏面にはシャフト４１が、刷版固定板３１の図示しない孔に貫装されている。該シャフト４１はボルト４３、４３によって左右方向の移動が規制され、４個のスペーサ４２によって位置決めされた状態で２個の軸受４０が貫装されている。刷版固定板３１の他方側部３１ｂ側の裏面には２本のスプリング固定ピン３５が立設される。該固定ピン３５には図示しないスプリングが取り付けられる。刷版固定板３１の一方側部３１ａ側には２個の長孔３２が形成され、他方側部３１ｂ側には２個の矩形孔３３が形成される。長孔３２は前端クランプ３によって刷版２が確実に押圧されているか否かを検出する光センサの検出窓である。一方、矩形孔３３は掛止ピン駆動機構５を作動させる際に使用される。詳細は後述する。
【００３７】
＜掛止ピン駆動機構５＞
【００３８】
次に、図８、図９を参照して掛止ピン駆動機構５を説明する。図９は掛止ピン駆動機構５の断面を刷版固定板３１と併せて示す断面図である
【００３９】
掛止ピン駆動機構５は記録ドラム１表面の正方凹部２２に固着されている。掛止ピン駆動機構５は主に、溝５２を有する台座５１と、第１レバー５６、第２レバー５８とからなる。台座５１は正方凹部２２にネジ止め固定されている。第１レバー５６と第２レバー５８とは台座５１の溝５２にはめ込まれており、第１レバー５６は支持ピン５７によって、第２レバー５８は支持ピン５９によって、それぞれ台座５１に回動可能に取り付けられている。
【００４０】
第１レバー５６は棒状の部材であり突起５４が付加されている端部（入力端部５６ｂ）ともう一方の端部（出力端部５６ａ）を有する。突起５４は刷版押圧板３１の矩形孔３３を通過し、該刷版押圧板３１の上方に突出することができる。入力端部５６ｂの裏面はスプリング６４により上方に付勢されている。出力端部５６ａには長手方向に伸びるスリット６０が形成されており、このスリット６０には結合ピン６２がこのスリット６０に沿って移動可能にはめ込まれている。
【００４１】
結合ピン６２の両端部は第２レバー５８に固着されており、これにより第１レバー５６と第２レバー５８はリンクされている。
【００４２】
第２レバー５８は棒状部材であり、第１レバー５６とリンクされている方の端部を入力端部５８ａと呼び、もう一方の、掛止ピン５３が付加されている端部を出力端部５８ｂと呼ぶ。
【００４３】
掛止ピン駆動機構５の第１レバー５６の突起５４を降下させると、第１レバー５６の出力端部５６ａが上昇し、結合ピン６２が上昇すると、第２レバー５８の入力端部５８ｂが上昇する。これにより第２レバー５８は時計方向に回動し、第２レバー５８の出力端部５８ａおよび掛止ピン５３が加工する。このように、第１レバー５６の入力端部５６ｂを上下させることで第２レバー先端に設けられた掛止ピン５３を刷版２の掛止孔２７に対して掛止・離脱させることができる。
【００４４】
＜掛止ピン駆動機構９の動作＞
【００４５】
図９、図１０、図１１、図１２は掛止ピン駆動機構５の断面を刷版固定板３１と併せて示す断面図である。これらの図を用いて刷版２の固定に至るまでの動作を説明する。
【００４６】
前端クランプ３と掛止ピン駆動機構５とは押圧装置９１の解除バー９２（図１参照）によって開閉されるものである。
【００４７】
まず記録ドラム２回転させて前端クランプ３の他方側部３１ｂを解除バー９２に対向させる。
【００４８】
押圧装置９１によって解除バー９２を記録ドラム１に向けて移動させる。解除バー９２は、刷版押圧板３１の他方側部３１ｂに当接し、刷版押圧板３１をシャフト４１中心に反時計方向に回動させる。
【００４９】
解除バー９２は、他方側部３１ｂに当接するのと同時に、掛止ピン駆動機構５の突起５４にも当接する。これにより第１レバー５６の入力端部５６ｂが下降する。同時に、第１レバー５６の出力端部５６ａとこれにリンクされた第２レバー５８の入力端部５８ｂとが上昇し、第２レバー５８の出力端部５８ａが下降する。これにより刷版２が受け入れ可能になる。
【００５０】
次に、図示しない刷版搬送機構により刷版２を記録ドラム１上の、刷版押圧板３１の一方側部３１ａに対向する位置まで搬送し、刷版２の前端部分に形成された位置決め用の切欠２６を記録ドラム２表面に固設された位置決めピン１６に嵌合させる。なお、この刷版２の先端には先述の掛止孔２７、２７が形成されているものとする。
【００５１】
刷版２の搬送が完了した状態を図９に示す。刷版２は記録ドラム２の表面高さと略同一のｈａ２である。刷版押圧板３１の一方側部３１ａの刷版２を押圧する部位の高さは、刷版２の配置高さｈａ２よりも高いｈａ４である。また、掛止ピン駆動機構５の掛止ピン５３は記録ドラム２表面に形成された第１レバー収納孔２２ａ内にありその先端の高さは刷版２の配置高さｈａ２よりも低いｈａ１である。
【００５２】
一方、解除バー９２の先端、刷版押圧板３１の解除バー当接点、突起５４の解除バー当接点は、それぞれ高さｈｂ１にある。
【００５３】
刷版２の記録ドラム１表面への位置あわせが完了すると、解除バー９２は高さｈｂ２まで上昇する。この状態を図１０に示す。刷版押圧板３１の他方側部３１ｂは記録ドラム１表面の円形孔２３ａ（図５、図６参照）内に立設されたスプリング（図示せず）によって記録ドラム２表面から離反する方句に付勢されている。また、掛止ピン駆動機構５の第１レバー５６の入力端部５６ｂもスプリング６４により記録ドラム２表面から離反する方向に付勢されているので、解除バー９２の上昇によって刷版押圧板３１および第１レバー５６は時計方向に回動する。この結果、解除バー９２の先端、刷版押圧板３１の解除バー当接点、突起５４の解除バー当接点は、それぞれ高さｈｂ２まで上昇する。
【００５４】
刷版押圧板３１の回動により一方側部３１ａはｈａ４からｈａ２まで下降し、刷版２を押圧する。一方側部３１ａの刷版接触面はセラミック加工が施され細かな凹凸が形成されているので摩擦力が増加している。このため刷版２は記録ドラム２上に強固に固定される。
【００５５】
第１レバー５６の時計方向の回動により第１レバー５６の出力端部５６ａが下降し、該出力端部５６ａに形成されたスリット６０にはめ込まれた結合ピン６４も下降する。これにより、第２レバー５８は支持ピン５９を中心にして反時計方向に回動し、掛止ピン５３はその先端が高さｈａ２の略下高さに至るまで上昇する。したがって、この段階では、掛止ピン５３はまだ刷版２の掛止孔２７に嵌合していない。
【００５６】
解除バー９２がさらに上昇し高さｈｂ４に達した段階を図１１に示す。
【００５７】
刷版押圧板３１の動きはその一方端部３１ａに当接する刷版２によって規制されているので、図１０の段階のままである。
【００５８】
一方、掛止ピン駆動機構５の動きは刷版２によって規制されていないので、解除バー９２の上昇に追随し突起５４の先端は高さｈｂ２からｈｂ３まで上昇する。これにより第２レバー５６は時計方向に、第２レバー５８は反時計方向にさらに回動する。この結果、掛止ピン５３は高さｈａ３に達する。この段階で初めて掛止ピン５３は刷版２の掛止孔２７に嵌合する。
【００５９】
このように、本描画装置では刷版２を刷版押圧板３１で押圧するだけでなく、掛止ピン５３を刷版２の掛止孔２７に嵌合させて刷版固定を行っているので、刷版２の記録ドラム１の周方向の移動が確実に規制される。このため記録ドラム１の回転中に刷版２が脱落する可能性がなくなり本描画装置の安全性はさらに向上する。
【００６０】
＜掛止孔２７がない刷版２が供給される場合＞
【００６１】
刷版２は描画装置において描画がなされた後、印刷機に運ばれ版胴に装着される。版胴には刷版を位置決めするためのピンが設けられている。ピンの位置、サイズ、数などには様々な規格があり、印刷機において使用されるピン規格が、描画装置において使用される掛止孔と抵触することも考えられる。また製版の段階ではまだ印刷機が決まっていなくて製版後にトンボ基準でアフターパンチを開けるユーザーも多い。これらの場合には、刷版に予め掛止孔を設けておくことができない。掛止孔が形成されていない刷版が描画装置の記録ドラムに装着された際に、仮に、刷版押圧板３１による押圧と掛止ピン５３による掛止とが同時に行われるとすると、掛止ピン５３が刷版２に当接し刷版２が位置ずれした状態で、刷版押圧板３１による押圧が行われる恐れがある。これでは正確な描画を行えない。
【００６２】
本装置では掛止孔が形成されていない刷版に対しても正確な描画を行うために、刷版押圧板３１による刷版２の押圧固定が完了した後に、掛止ピン５３を上昇させて刷版２に当接（あるいは刷版２の掛止孔２７に掛止）させる。
【００６３】
図１２は、掛止孔２７が形成されていない刷版２が供給されたときの掛止ピン駆動機構５の断面図である。先に図１１を用いて説明したように、刷版２に掛止孔２７が形成されている場合には掛止ピン５３は掛止孔２７を通過して高さｈａ３に達するが、掛止孔２７が形成されていないときには図１２に示すように掛止ピン５３は刷版２に上昇を拒まれて高さｈａ２に達するのみである。しかし、掛止ピン５３が刷版２の裏面に接触するときには、すでに前端押さえ３による刷版２の押圧固定が完了しているので（図１０参照）、掛止ピン５３の上記接触によって刷版２が微動することはなく、記録ドラム１上で正確に位置決めされた刷版２に対して描画を行うことができる。
【００６４】
＜刷版支持装置７＞
【００６５】
次に刷版支持装置７を説明する。刷版支持装置７は後端クランプ固定溝１５の底面に形成された凹部１４（図４、図５参照）に固着される部材である。凹部１４は刷版２の搬送方向（矢印Ｂ方向）に関して平坦部１８の手前位置に設けられているので、刷版支持装置７は記録ドラム１の周面に固定される刷版２の前端部分を裏面から支持できる。
【００６６】
図１３は刷版支持装置７を刷版搬送方向Ｂから見た斜視図であり、図１４は刷版支持装置７の下からの分解斜視図である。刷版支持装置７は下部分７０と上部分７５と、これらを連結するネジ８２とからなっている。下部分７０は底面７１と摺動面７２とからなり、底面７１に設けられた孔７３を通過するボルト８０によってドラム１表面の凹部１４に固定される。上部分７５は摺動面７７と支持面７８とからなり、摺動面７７に設けられた長孔７９を通過するネジ８２、スペーサ８４によって下部分の摺動面７２に連結される。
【００６７】
下部分７０と上部分７５とを連結するネジ８２が通過する長孔７９の長手方向長さは、スペーサ８４の直径より長いので、上部分７５は下部分７０の摺動面７２に沿って摺動可能である。
【００６８】
図１５、図１６は刷版支持装置７が記録ドラム１に取り付けられた状態を示す斜視図である。刷版支持装置７の上部分７５はその自重により支持面７８が記録ドラム１の表面よりも下である。この状態で刷版２が供給される。刷版２は上部分７５によって妨げられることなく平坦部１８に到達し、位置決めピン１６で位置決めされ前端クランプ３により押圧される（図３参照）。その後、記録ドラム１上に形成された吸引溝１１，１２（図４参照）により刷版２を記録ドラム１表面に真空吸着する。
【００６９】
描画が開始され記録ドラム１が高速回転し始めると遠心力により刷版支持装置７の上部分７５は後端クランプ固定溝１５から突出する方向に付勢される。これにより上部分７５は下部分７０の摺動面７２に沿って上方に移動し、その支持面７８が刷版２の裏面に当接しこれを下から支持する。これにより刷版２が後端クランプ固定溝１５に沈下することが防止される。
【００７０】
仮に後端クランプ固定溝１５中に刷版支持装置７が配置されていなかったとすると、刷版２は真空吸着時に後端クランプ固定溝１５に落ち込んで変形する恐れがある。このように変形すると、焦点距離の短い光学系を記録ヘッドに使用したときには正確な描画が行えなくなることがある。本描画装置では刷版支持装置７が、描画中、刷版２を下から支持することにより刷版２の上記変形を防ぎ、刷版２に対する良好な描画を保証している。
【００７１】
なお、上記実施例では描画装置に供給される前の段階で刷版に掛止孔を形成していたが、描画装置内部に穿孔手段を配置し、該穿孔手段によって描画装置内で刷版に掛止孔を形成してもよい。
【図面の簡単な説明】
【図１】本発明の一実施例における描画装置の概略側面図である。
【図２】本発明の一実施例において使用される刷版の前端部分を示す図面である。
【図３】本発明の一実施例における記録ドラム１の表面を示す分解斜視図である。
【図４】本発明の一実施例における記録ドラム１の表面を示す分解斜視図である。
【図５】本発明の一実施例における記録ドラム１の表面を示す分解斜視図である。
【図６】本発明の一実施例における記録ドラム１の表面の断面図である。
【図７】本発明の一実施例における前端クランプ３の底面図である。
【図８】本発明の一実施例における掛止ピン駆動機構５を示す斜視図である。
【図９】本発明の一実施例における掛止ピン駆動機構５の動作を示す断面図である。
【図１０】本発明の一実施例における掛止ピン駆動機構５の動作を示す断面図である。
【図１１】本発明の一実施例における掛止ピン駆動機構５の動作を示す断面図である。
【図１２】本発明の一実施例における掛止ピン駆動機構５動作を示す断面図である。
【図１３】本発明の一実施例における刷版支持装置７の斜視図である。
【図１４】本発明の一実施例における刷版支持装置７の分解斜視図である。
【図１５】本発明の一実施例における刷版支持装置７の斜視図である。
【図１６】本発明の一実施例における刷版支持装置７の斜視図である。
【図１７】従来の描画装置における記録ドラムの概略側面図である。
【図１８】従来の描画装置における前端クランプ１３０の分解斜視図である。
【図１９】従来の描画装置における前端クランプ１３０の側面図である。
【符号の説明】
１  記録ドラム
２  刷版
３  前端クランプ
５  掛止ピン駆動機構
７  刷版支持装置
１１ 吸引溝
１２ 吸引溝
１３ 溝
１４ 凹部
１５ 後端クランプ固定溝
１６  位置決めピン
１７  円形凹部
１８  平坦部
１９  凹部
２０  円形凹部
２１  凹部
２２  正方凹部
２２a 第１レバー収納穴
２３  長方凹部
２３a 円形穴
２４  他方端収納溝
２６  切欠
２７  掛止孔
２８  前端片
３１  刷版固定板
３１a 一方側部
３１b 他方側部
３２  長孔
３３  矩形孔
３５  スプリング固定ピン
４０  軸受
４１  シャフト
４２  スペーサ
４３  ボルト
５１  台座
５２  台座の溝
５３  掛止ピン
５４  突起
５６  第１レバー
５６a 入力端部
５６b出力端部
５７  支持ピン
５８  第２レバー
５８a入力端部
５８b出力端部
５９  支持ピン
６０  スリット
６２  結合ピン
６４  スプリング
７０  下部分
７１  底面
７２  摺動面
７３  孔
７４  孔
７５  上部分
７７  摺動面
７８  支持面
７９  長孔
８０  ボルト
８２  ネジ
８４  スペーサ
９０  後端クランプ
９１  前端クランプ押圧装置
９２  解除バー
９３  後端クランプ
９４  後端クランプ保持装置
９５  保持ピン
９６  記録ヘッド
９７  側板
１１０  従来の記録ドラム
１１２  従来の記録ドラムの凹部
１２０  従来の刷版
１３０  従来の前端クランプ
１６０  従来の後端クランプ
１７０  従来の前端クランプ押圧装置
１７１  従来の解除ピン
１８０  従来の後端クランプ保持装置
１８１  従来の保持ピン
１９０  従来の記録ヘッド
１９５  従来の側板
【図１】
0003853544.tif 000002
【図２】
0003853544.tif 000003
【図３】
0003853544.tif 000004
【図４】
0003853544.tif 000005
【図５】
0003853544.tif 000006
【図６】
0003853544.tif 000007
【図７】
0003853544.tif 000008
【図８】
0003853544.tif 000009
【図９】
0003853544.tif 000010
【図１０】
0003853544.tif 000011
【図１１】
0003853544.tif 000012
【図１２】
0003853544.tif 000013
【図１３】
0003853544.tif 000014
【図１４】
0003853544.tif 000015
【図１５】
0003853544.tif 000016
【図１６】
0003853544.tif 000017
【図１７】
0003853544.tif 000018
【図１８】
0003853544.tif 000019
【図１９】
0003853544.tif 000020